(57)【特許請求の範囲】
【請求項１】
ケーブル配設用の地中埋設管の外形寸法と同等又はそれよりも大きな寸法を有する単又は複数の貫通孔を備えた支持部材により、該地中埋設管の単又は複数を貫通支持してなる地中埋設管ユニットにおいて、
前記地中埋設管の支持部材間の特定箇所に該地中埋設管の撓みを阻止する両端が開放操作可能で、かつ、復元力を有する単又は複数のＣの字状のスペーサを抱きつかせて設け、該スペーサとして、内部中空のほぼ扇型の複数の筒状部を円周方向に相互に間隔をあけて設けるとともに、半径方向の内端部においてＣの字状に連結し、円周方向で隣り合う筒状部のスペーサの中心軸方向一端側同士を補強するための板状の補強部を一体的に設けたものを用いたことを特徴とする地中埋設管ユニット。
【請求項２】
前記支持部材の外形が長方形又は正方形に形成され、この支持部材に形成された複数の貫通孔の中心が上下方向又は左右方向又は上下左右方向において一致してなる請求項１記載の地中埋設管ユニット。
【発明の詳細な説明】
【０００１】
【発明の属する技術分野】
本発明は、地中埋設管を配設経路に沿って配設することができる地中埋設管ユニットに関し、詳しくは、単又は複数の貫通孔を備えた支持部材により単又は複数の地中埋設管を支持してなる地中埋設管ユニットに関する。
【０００２】
【従来の技術】
上記地中埋設管ユニットは、例えば増設等により単又は複数の地中埋設管を支持部材により支持させた地中埋設管ユニットを既設の地中埋設管ユニットの上に積み重ねることにより、所望の本数の地中埋設管を布設することができるように構成されたものである。
そして、支持部材により複数の地中埋設管を束ねた状態で運搬したり、配設経路に配設するようにすれば、地中埋設管を一本ずつ運搬したり、配設経路に配設していくものに比べて、運搬面において有利になるだけでなく、地中埋設管の配設工事期間の短縮化も図ることができるようにしている。
しかしながら、上記構成では、地中埋設管ユニットを構成する支持部材間において自重により地中埋設管の管軸方向中間部が大きく垂れ下がった撓み現象を起こしてしまう問題があり、これを解消するものとして、例えば特許番号第３０２３６６４号公報に示されるものがある。これは、複数の埋設用パイプを互いに所定の間隔を持って並行に集束保持するための複数のスペーサと結束バンドからなる固定具を埋設用パイプの所定間隔置きに設け、それら固定具間における埋設用パイプ同士の上下方向の空隙を発泡ポリエチレンでなる充填部材にて閉塞したものである。
【０００３】
【発明が解決しようとする課題】
上記構成によれば、複数のスペーサと結束バンドを用いて複数の埋設用パイプを互いに所定の間隔を持って並行に集束保持させる作業が手間のかかる煩わしい作業になるだけでなく、容易に束ねた埋設用パイプがばらばらにならないように結束バンドにより強固に締め付けることになるため、締め付ける前に充填部材を上下に位置する埋設用パイプ同士間に設けなければならず、作業性が低下するものであった。
又、充填部材によりパイプ同士の間隔を所定間隔に保持して撓み防止を行うことができるのであるが、最下方に位置する埋設用パイプに対する撓み防止を上下のパイプ間挟み込む前記充填部材を用いて行うことができない不都合があった。
又、上記充填部材は、スペーサ間の全域に渡る空隙を埋める長さに構成されたものであるため、発泡ポリスチレンであっても、ユニット全体の重量が飛躍的に増大して取扱性が低下するだけでなく、材料費が嵩む不都合があった。
又、充填部材を上下の埋設用パイプ間にただ単に挟み込んでいるだけであるため、前記結束バンドによる締め付けが緩んでしまうと、運搬中や施工中において充填部材が外れてしまうことがあり、再度外れた充填部材を重量のある上下の埋設用パイプ間に挟み込まなければならず、取扱がし難いものであった。
又、充填部材にて上下の埋設用パイプの空隙を埋めるだけでなく、左右方向に生じる空隙をも充填部材にて埋めるようにすれば、左右方向用の充填部材が必要になり、ユニット全体の重量増大が更に悪化するだけでなく、前記充填部材の外れによる前記不都合を顕著にするものであった。
因みに、埋設用パイプの本数が増えれば増えるほど重量の増大化は勿論のこと、多条用の地中埋設管ユニットを構成する上下の埋設用パイプの間それぞれに充填部材を挟み込ませる場合に、内側に位置する上下の埋設用パイプの間への充填部材の挟み込みが非常にし難く、充填部材の挟み込み作業が手間のかかる煩わしいものであった。
【０００４】
本発明が前述の状況に鑑み、解決しようとするところは、重量の増大を抑制しながらも、運搬中や施工中において外れることがなく、しかも容易迅速に装着して地中埋設管の撓みを確実に阻止することができるスペーサを備えた埋設管ユニットを提供する点にある。
【０００５】
【課題を解決するための手段】
本発明の地中埋設管ユニットは、前述の課題解決のために、ケーブル配設用の地中埋設管の外形寸法と同等又はそれよりも大きな寸法を有する単又は複数の貫通孔を備えた支持部材により、該地中埋設管の単又は複数を貫通支持してなる地中埋設管ユニットにおいて、前記地中埋設管の支持部材間の特定箇所に該地中埋設管の撓みを阻止する両端が開放操作可能で、かつ、復元力を有する単又は複数のＣの字状のスペーサを抱きつかせて設け、該スペーサとして、内部中空のほぼ扇型の複数の筒状部を円周方向に相互に間隔をあけて設けるとともに、半径方向の内端部においてＣの字状に連結し、円周方向で隣り合う筒状部のスペーサの中心軸方向一端側同士を補強するための板状の補強部を一体的に設けたものを用いたことを特徴としている。従って、地中埋設管をただ単に貫通支持しているだけの支持部材間の融通を持たせている地中埋設管の特定箇所に単又は複数のスペーサを抱きつかせるだけで、径方向で隣り合う地中埋設管同士、つまり上下方向あるいは上下左右の両方向で隣り合う地中埋設管同士の間隔を一定に保持することができるだけでなく、最下方に位置する地中埋設管と地面との間隔を一定に保持することができ、地中埋設管が自重で撓むことを確実に阻止することができる。しかも、地中埋設管にスペーサを抱きつかせるだけでスペーサの装着を完了させることができ、例えば多数の地中埋設管が支持部材にて支持された状態において任意の地中埋設管に迅速にスペーサを装着させることができる。
【０００６】
前記スペーサを、両端が開放操作可能で、かつ、復元力を有するＣの字形状に構成しているので、上記スペーサの両端を開放操作して地中埋設管に抱きつかせると、復元力で両端が閉じた状態になり、スペーサの装着を完了する。
【０００８】
前記支持部材の外形が長方形又は正方形に形成され、この支持部材に形成された複数の貫通孔の中心が上下方向又は左右方向又は上下左右方向において一致していることにより、重量バランスがよく、運搬に有利でなく、支持部材を上下に積み重ねた場合に下側の支持部材にかかる重量をバランスよく分散させることができる。
【０００９】
【発明の実施の形態】
図１及び図２に示すように、電線等のケーブルを収容するための地中埋設管１の複数本を（上下に２本揃えた状態で）ポリウレタンを発泡させたポリウレタンフォーム（発泡体）等でなる複数個（図では２個）の四角形状の支持部材２によりある程度の融通を持たせた状態、具体的には管軸方向への移動（ずれ）や管の小さな角度変更が許容された状態で貫通支持させ、前記上方の地中埋設管１の支持部材２，２間の特定３箇所に該地中埋設管１の撓みを阻止するためのほぼＣの字形状のスペーサ３を抱きつかせて、地中埋設管ユニットＵを構成している。前記地中埋設管ユニットＵは、工場等で予め作成された後、現場に運搬されて使用するようにしている。前記各地中埋設管１は、図３にも示すように、前記スペーサー２の貫通孔２Ａに一本ずつ貫通させて地中埋設管ユニットＵを構成している。尚、配設経路として形成される溝内に地中埋設管ユニットＵの複数を溝に沿って配置した後、一方の地中埋設管１の一端に備える雌型の継手（図示せず）に他方の地中埋設管１の雄型の継手（図示せず）を押し込み、これを必要本数分押し込み操作することによって、配設経路の前後に位置する地中埋設管ユニットＵ，Ｕの接続作業を完了するのである。
【００１０】
前記支持部材２の貫通孔２Ａの直径の寸法を地中埋設管１の外形寸法よりも少し大きく設定することによって、支持部材２の貫通孔２Ａに地中埋設管１を通し易いようにしているが、支持部材２の貫通孔２Ａの直径の寸法を地中埋設管１の外形寸法と同一に設定して実施してもよい。前記支持部材２に形成した２つの貫通孔２Ａ，２Ａの中心が上下方向で一致するように構成している。又、前記支持部材２の材料として、軽量化を図り易い発泡性を有するポリウレタンフォームを用いたが、他の発泡性合成樹脂として、ポリスチレンフォーム、ポリエチレンフォーム、硬質塩化ビニルフォーム、ユリアフォーム、フェノールフォーム、アクリルフォーム、酢酸セルロースフォーム、その他のプラスチックフォーム等を挙げることができるが、発泡性を有しない合成樹脂や合成ゴムを用いてもよいし、又、軽量化を目的としない場合には、コンクリート等の合成樹脂以外のものでもよい。
【００１１】
前記地中埋設管１は、外面に凹部と凸部とが交互に螺旋状に形成された合成樹脂製のホースから構成しているが、外面がフラットなホースでもよい。又、地中埋設管１の材質は、合成樹脂以外のものでもよい。
【００１２】
前記スペーサー３は、両端が開放操作可能で、かつ、復元力を有する発泡性合成樹脂でなり、図３（ｂ）に示すように、スペーサー３の両端を２点鎖線で示すように開放状態にした状態で、地中埋設管１に径方向から装着する（抱きつかせる）のである（図３（ａ）参照）。
前記スペーサ３を、図４及び図５に示す形状に構成してもよい。詳述すれば、内部中空のほぼ扇型に形成された筒状部３Ａの８個が円周方向で連結されたほぼＣの字状に合成樹脂により一体形成している。図に示す３Ｂは、円周方向で隣り合う筒状部３Ａ，３Ａのスペーサ３の中心軸方向一端側同士を補強するための板状の補強部である。前記構成のスペーサ３は、図４に示すように上側に位置する２つの筒状部３Ａ，３Ａを持って矢印の方向に押し広げることにより、前述同様に開放状態にして地中埋設管１に装着するのである。
【００１３】
又、前記スペーサ３を、図６（ａ）〜（ｅ）に示すように構成してもよい。図６（ａ）は、外面に螺旋状の凹凸部を備えた地中埋設管１の外面の凹部に入り込む螺旋状の突起３Ｔを備えさせることによって、地中埋設管１に装着したスペーサ３が管軸芯方向に不測に移動することを阻止することができる利点がある。図６（ｂ）は、前記スペーサ３の外形を四角形に変更した場合を示し、図６（ｃ）は、図６（ｂ）のスペーサ３の外形の４つの角部を切り欠いた外形が８角形に変更した場合を示している。図６（ｄ）は、２つに分割された半円状の半割部材３Ｃ，３Ｄを一端部同士を蝶番３Ｅを介して揺動開放自在に取り付け、他端同士を連結する連結部、つまり一方に突出形成した突起３Ｆと、この突起３Ｆに係止する凹部３Ｇとを備えさせている。図６（ｅ）は、２つに分割された半円状の半割部材３Ｃ，３Ｄからなり、各半割部材３Ｃ又は３Ｄの一端に前記突起３Ｆを他端に前記凹部３Ｇをそれぞれ備えさせて、両者３Ｃ，３Ｄを連結する連結部を構成している。図６（ｅ）の半割部材３Ｃ，３Ｄは、どちらも同じ形状のものであり、このようにすれば、製造面において有利になるが、別の形状のものに変更してもよい。
【００１４】
図１では、上側に位置する地中埋設管１にのみスペーサ３を装着したが、図７に示すように、下側に位置する地中埋設管１にもスペーサ３を装着することによって、撓み防止効果を高めることができるだけでなく、下側に位置する地中埋設管１と地面との間の隙間を埋めることができることから、下側の地中埋設管１が撓むことをも確実に阻止することができる利点がある。又、下側に位置する地中埋設管１にのみスペーサ３を装着して実施することもできる。スペーサ３の装着個数は、図に示されるものに限定されるものではない。
【００１５】
図１及び図７では、地中埋設管１を上下に配設した地中埋設管ユニットを構成した場合を示したが、一本の地中埋設管１を支持部材２により支持したものでもよいし、又、図８（ａ）に示すように、３本の地中埋設管１を上下に配設してもよいし、又、図８（ｂ）に示すように４本の地中埋設管１を図のように左右上下に振り分けて配設してもよいし、又、図８（ｃ）に示すように、６本の地中埋設管１を図のように左右上下に振り分けて配設してもよいし、又、図８（ｄ）に示すように、９本の地中埋設管１を図のように左右上下に振り分けて配設してもよく、地中埋設管１の本数及び配置は図に示されるものに限定されるものではない。
【００１６】
又、図９に、６本の地中埋設管１を備えた地中埋設管ユニットの上に４本の地中埋設管１を備えた２つの地中埋設管ユニットを積み重ねた状態を示しており、支持部材２を四角形状とすることにより安定良く載置させることができるようにしている。
【００１７】
【発明の効果】
請求項１によれば、従来のようにスペーサと結束バンドによる強固な固定作業の不要化は勿論のこと、結束バンドにて締め付ける前に充填部材を配置しなければならないという作業性の低下を招くことがなく、支持部材間にある程度の融通を有している状態で貫通支持させている地中埋設管の特定箇所に単又は複数のスペーサを抱きつかせることによって、重量増大を抑制することができながらも、運搬中や施工中に外れることがなく、しかも容易迅速に装着可能で、地中埋設管が撓んでしまうことを確実に阻止することができ、スペーサの取扱面及び地中埋設管ユニットの使用面のいずれにおいても有利になる。
【００１８】
しかも、スペーサを、両端が開放操作可能で、かつ、復元力を有するＣの字形状に構成することによって、大量生産を行う場合に有利になり、製造コストを低減することができる。
【００１９】
請求項２によれば、支持部材の外形が長方形又は正方形に形成され、この支持部材に形成された複数の貫通孔の中心が上下方向又は左右方向又は上下左右方向において一致していることにより、重量バランスがよく、運搬に有利でなく、支持部材を上下に積み重ねた場合に下側の支持部材にかかる重量をバランスよく分散させることができ、特に左右方向にずれることを確実に回避して安定よく積み重ねた状態を維持させることができる。
【図面の簡単な説明】
【図１】地中埋設管ユニットの一部を示す斜視図である。
【図２】地中埋設管ユニットの一部を示す縦断側面図である。
【図３】（ａ）は図２のＩ−Ｉ線断面図、（ｂ）は（ａ）の図においてスペーサを装着する直前の状態を示す断面図である。
【図４】別のスペーサを示す正面図である。
【図５】図４で示したスペーサの斜視図である。
【図６】（ａ），（ｂ），（ｃ），（ｄ），（ｅ）は５種類の別の形状のスペーサを示す正面図である。
【図７】下側の地中埋設管にもスペーサを装着した状態の地中埋設管ユニットの一部を示す斜視図である。
【図８】地中埋設管の本数を異ならせた地中埋設管ユニットの断面図を示し、（ａ）は３本の場合を示し、（ｂ）は４本の場合を示し、（ｃ）は６本の場合を示し、（ｄ）は９本の場合を示している。
【図９】３つの地中埋設管ユニットを積み重ねた状態を示す斜視図である。
【符号の説明】
１  地中埋設管        ２  支持部材
2A  貫通孔            ３  スペーサ
3A  筒状部            3B  補強部
3T  突起              3C,3D  半割部材
3E  蝶番              3F  突起
3G  凹部              Ｕ  地中埋設管ユニット
【図１】
0004615678.tif 000002
【図２】
0004615678.tif 000003
【図３】
0004615678.tif 000004
【図４】
0004615678.tif 000005
【図５】
0004615678.tif 000006
【図６】
0004615678.tif 000007
【図７】
0004615678.tif 000008
【図８】
0004615678.tif 000009
【図９】
0004615678.tif 000010